(57)【要約】【課題】  本発明は、容器内の水分の蒸発を抑えるとともに書類や切手に必要以上の水分が付着することを防止して必要量の水分が供給され、開放して放置した状態でも使用に供することができ、さらに、指に直接触れる水分に除菌、抗菌や洗浄効果を有する衛生的な水溶性指先濡らし器を提供することを目的とするものである。【解決手段】  この発明に係る水溶性指先濡らし器は、上面を開放状とする容器１に貝殻焼成カルシウムの微粉末を水に溶解した水溶液４を充填して、ボール状体３を収納し、蓋体２によりボール状体３を上部より圧接して、この蓋体２の略中央に穿設されている円形状の孔部５からボール状体３の一部が円弧状に突出して回転可能に形成されているものである。また、このボール状体３は容器１の底面に計量カップを兼ねた受け部８に載置される。【選択図】      図１
2006150933.tif 000002
【特許請求の範囲】
【請求項１】
水溶液を充填した容器にボール状体を水溶液に接するか又はその一部が没するように収容し、上面略中央に孔部を穿設した蓋体を被冠係止して、ボール状体の一部を蓋体の孔部より円弧状に突出してなることを特徴とする水溶性指先濡らし器。
【請求項２】
前記ボール状体を、容器内に充填される水溶液の界面に浮遊させ、蓋体を押圧状に被冠係止して、その一部を蓋体に穿設した孔部より円弧状に突出させ、孔部の周縁を押止してなることを特徴とする請求項１記載の水溶性指先濡らし器。
【請求項３】
前記収納容器に充填される水溶液は、貝殻焼成カルシウム（酸化カルシウム）の微粉末を水に溶解してなることを特徴とする請求項１または２記載の水溶性指先濡らし器。
【請求項４】
前記収納容器の底面に、ボール状体を載置する受け部を設けてなることを特徴とする請求項１ないし３のいずれかに記載の水溶性指先濡らし器。
【請求項５】
前記収納容器の底面に、ボール状体を載置しかつ貝殻焼成カルシウムの微粉末を水に溶解した濃縮液の計量カップとする受け部を着脱可能に設けてなることを特徴とする請求項１ないし３のいずれかに記載の水溶性指先濡らし器。
【発明の詳細な説明】
【技術分野】
【０００１】  本発明は、紙幣や用紙類の数を数えたり、切手を貼ったり、あるいは書籍類のページ捲り等に使用される水溶性指先濡らし器に関するものである。
【背景技術】
【０００２】  従来、この種の水溶性指先濡らし器としては、吸水性を有するスポンジ状の弾性体を開放状の適宜容器に入れ、水を含ませた弾性体の表面で指の腹や切手の裏面を触れて湿潤させて用いていたものが一般的に知られているし、また、ケースに収められている弾性体の乾燥を防ぐため、蓋を用いたものもあった。
【発明の開示】
【発明が解決しようとする課題】
【０００３】  しかしながら、従来使用されているこれらの水溶性指先濡らし器としてのスポンジケースは、吸湿性の高い発泡体よりなるスポンジ状の弾性体を使用しているため含有する水分が多くなり易く、また、その使用状態を考慮して、その表面部分が平滑状面に形成されているため、押圧する際の力加減が難しく、強く押圧したりすると指や切手等に付着する水分量が多くなって、必要以上の水分が付着してしまうことがあり、また、露呈した状態で放置すると水分の蒸発が早く乾燥状態になることがみられた。【０００４】  本発明は、容器内の水分の蒸発を抑えるとともに書類や切手に必要以上の水分が付着することを防止して必要量の水分が供給され、放置した状態でも使用に供することができ、さらに、指に直接触れる水分に除菌、抗菌や洗浄効果を有する衛生的な水溶性指先濡らし器を提供するものである。
【課題を解決するための手段】
【０００５】  本発明に係る水溶性指先濡らし器は、水溶液を充填した容器にボール状体を水溶液に接するか又はその一部が没するように収容し、上面略中央に孔部を穿設した蓋体を用いて、ボール状体の一部を蓋体の孔部より円弧状に突出してなることを特徴とするものである。【０００６】  さらに、前記ボール状体は、水溶液に浮遊するように設けられて、容器内に充填される水溶液の界面に浮遊させ、蓋体を押圧状に被冠係止して、その一部を蓋体に穿設した孔部より円弧状に突出させ、孔部の周縁を押止してなることを特徴とするものである。【０００７】  さらに、容器に充填される水溶液は、貝殻とくにホッキ貝の焼成カルシウムの微粉末を水に溶解してアルカリマイナスイオン水とすることを特徴とするものである。【０００８】  さらに、前記容器の底面には、ボール状体を載置する受け部を設けてなるものであることを特徴とするものである。【０００９】  さらに、前記容器の底面に、ボール状体を載置しかつ貝殻焼成カルシウムの微粉末を水に溶解した濃縮液の計量カップとする受け部を着脱可能に設けてなるものであることを特徴とするものである。
【発明の効果】
【００１０】  本発明に係る水溶性指先濡らし器によれば、適宜量の水溶液を充填した容器に、ボール状体を水溶液に接するか又はその一部を沈めるように収容し、その上面に略円形状の孔部を穿設した蓋体を被冠して、ボール状体の一部を蓋体の孔部より円弧状に回転可能に突出してなるもので、外部に露呈されたボール状体の円弧状部分を回転してその湿潤部分を利用して使用に供することにより、余分な水分がボール状体を通して指や被着物に付着することがなく、適度な湿潤を与えることができ、また、ボール状体と蓋体の孔部の周縁が密着されているため、容器の水溶液の蒸発を抑えることができるものである。【００１１】  さらに、浮遊するように設けられたボール状体を用いることにより、容器内の水溶液に浮遊させて蓋体に穿設した孔部より突出させ、その浮力の圧力により孔部の周縁を強く押圧してさらに密閉効果を高めて、適度な湿潤を与えられ、しかも水溶液の蒸発による減少を防止することができる。【００１２】  また、外部に突出しているボール状体の円弧状の表面が乾燥状態であっても、使用する際に突出しているボール状体を軽く押して回転して、水溶液が付着して湿潤状態の円弧状部分を突出することにより、簡単な操作で常に良好な使用状態を保つことができる。【００１３】  また、ボール状体の表面の露出部分の乾燥を早めることにより、蓋機能を果たして不使用時に放置にしても支障がない。【００１４】  さらに、容器に供給される水溶液は、貝殻焼成カルシウムの微粉末を水に溶解して、アルカリマイナスイオン水とすることにより、除菌・抗菌及び洗浄機能を有して衛生的であり、不特定多数の人が使用する公共施設例えば郵便局、登記所といった切手や印紙を取り扱う場所や図書館や閲覧所等に設置しても、不快感を与えることがなく安心して使用に供することができる。【００１５】  さらに、前記収納容器の底面に受け部を設けて浮遊するボール状体を載置して水溶液に安定した保持すると共にボール状体の回転を円滑に行い、突出部分を常に一定の湿潤状態に保つことができる。【００１６】  さらに、前記収納容器の底面に受け部を着脱可能に設け、ボール状体の載置部とすると共に計量カップとすることにより、貝殻焼成カルシウムの微粉末を水に溶解した濃縮液を水溶液に必要量を供給して希釈され、水溶液に安定した除菌・抗菌及び洗浄機能を保持することができる。
【発明を実施するための最良の形態】
【００１７】  添付図面において、図１は、本発明に係る水溶性指先濡らし器の使用状態を示す斜視図であり、図２は、水溶液を供給した容器にボール状体を入れた状態を示す斜視図であり、図３は蓋体を示す斜視図であり、図４は、ボール状体の他の実施例を示す側面図であり、図５は、容器の底面に受け部を設けた他の実施例を示す一部を切欠した斜視図である。【００１８】  本発明に係る水溶性指先濡らし器は、図１に示されるように、金属又はプラスチック等の硬質材からなる上面側を開放し、水溶液４を供給充填するする容器１と、この容器１の開放部分を被冠係止する蓋体２、及び、ピンポン球あるいはこれに類する内部を空気層として浮遊するように設けられたボール状体３とより構成されている。【００１９】  上面を開放状とする容器１は、適宜量の水溶液４を充填して、その界面にボール状体３を浮遊させて、蓋体２を被冠係止して、ボール状体３を押圧して、その下方の一部を水溶液４に没し、その上方の一部を蓋体２の上面略中央に穿設されている略円形状の孔部５より円弧状に突出して外部に露呈するように形成されている。【００２０】  このように構成されることにより、切手を貼ったり、指を濡らしたりする使用する際には、蓋体２が容器１に被冠された状態でボール状体３の表面の露出部分を回転して、水溶液４によりその表面が濡れて湿潤されている円弧状面を表面に出して、指を湿らせ、あるいは切手等の貼着面を湿らせるものである。【００２１】  使用されるボール状体３は、ピンポン球のように内部に空気層をもって浮遊するものを用いる以外、発泡体のような表面を粗面とする浮遊するスポンジ球体以外比重の高いプラスチック製の中実状の球体を用いて水溶液４にその一部を沈めして容器１の上面よりやや上方に突出させて、蓋体２を被冠してその一部を孔部５より突出させるものであってもよい（図４参照）。【００２２】  なお、このボール状体３は、ゴルフボールのように、その周面に凹部６を数多形成して水溶液４をこの凹部６に留めて回転突出させることにより、効果的な湿潤を行うことができる（図４参照）。【００２３】  蓋体２は、ボール状体３の浮遊力に抗するような重量をもったものでも、また容器１に係止される種々止着手段、あるいは、ネジ結合を用いて係止するものであってもよい。【００２４】  また、蓋体２は容器１に嵌合又は被冠する以外、その一端において、回動可能に軸着して、その反対端において止め具を設けて開閉自在として、容器１に収納されるボール体３の一部を外部に露呈するものであってもよい（図示せず）。【００２５】  さらに、容器１に充填される水溶液４は、図４に示すように、貝殻とくにホッキ貝を焼成して得られる、貝殻焼成カルシウムの微粉末を水に溶解した水溶液４ａを用いることにより、個人的に使用する以外多数の人々が共用する公共施設等への適用が可能となる。【００２６】  すなわち、ホッキ貝の主成分である炭酸カルシウムを焼成することによって変化した酸化カルシウムの微粉末を水に溶解することによって得られる水酸化カルシウムの強アルカリ性の水溶液は、除菌抗菌及び脱臭効果が発揮され、さらに、水酸化カルシウムが解離してマイナスイオン（水酸イオン）を発生させることにより、酸化���止、腐敗防止効果および洗浄（剥離）効果を有するもので、個人的使用する以外多くの人が共用する公共の施設での使用に適するものである。【００２７】  さらに、図４に示すように、上記のように構成される水溶性指先濡らし器をその下面に敷くシート７とセットとし、このシート７の上面には、写真、イラストや模様以外社名や広告あるいは注意書き等の文章を記載したものと併用するものであってもよい。【００２８】  図５に示すように、前記容器１の底面には、ボール状体３の下面を載置する受け部８を設け、その上面には略同一の円弧状面９を形成して、ボール状体３をその下面の円弧状面を安定した状態に載置されて円滑に回転させ、また、この受け部８はボール状体１を載置するとともに貝殻焼成カルシウムの微粉末を水に溶解した濃縮液を計量するため計量カップとして着脱可能に設けて、希釈するに必要とする量と同量の容積とするか、また、この受け部８の周面には目盛り１０を設けて計量するものであってもよい。
【図面の簡単な説明】
【００２９】
【図１】  本発明に係る水溶性指先濡らし器の使用状態を示す斜視図。
【図２】  水溶液を充填した容器にボール体を入れた状態を示す断面図。
【図３】  蓋体を示す斜視図。
【図４】  ボール状体の他の実施例を示す側面図。
【図５】  容器の底面に受け部を設けた他の実施例を示す一部を切欠した斜視図。
【符号の説明】
【００３０】  １    収納容器
２    蓋体
３    ボール状体
４    水溶液
４ａ  貝殻焼成カルシウムの微粉末を水に溶解した水溶液
５    蓋体２の孔部
６    ボール状体３の表面凹部
７    シート
８    受け部
９    受け部８の円弧状面
１０  受け部８の目盛り
【図１】
2006150933.tif 000003
【図２】
2006150933.tif 000004
【図３】
2006150933.tif 000005
【図４】
2006150933.tif 000006
【図５】
2006150933.tif 000007